(57)【特許請求の範囲】
【請求項１】
複数の監視制御装置を監視制御する統合監視制御装置であって、
前記監視制御装置、前記監視制御装置が監視する装置、および自局あるいは他局の統合監視制御装置の何れかの状態を表す状態情報が有する種別ＩＤに対して前記種別ＩＤに対して定義された処理である種別ＩＤ対応処理を定義する処理対応定義部と、
前記監視制御装置から送信された前記状態情報を受信する受信部と、
他局の統合監視制御装置へ自局の統合監視制御装置が主管する前記状態情報を送信する状態情報送信部と、
他局の統合監視制御装置から送信される他局の統合監視制御装置が主管する前記状態情報を受信する状態情報受信部と、
前記状態情報に、前記処理対応定義部で前記状態情報が有する前記種別ＩＤに対して前記種別ＩＤ対応処理を実施するように制御する処理制御部と、
他局の統合監視制御装置との間で情報を送受信する統合監視制御装置間通信部と、
自局の処理の状態である処理状態通知を、前記統合監視制御装置間通信部により他局の統合監視制御装置に送信する処理状態送信部と、
他局の統合監視制御装置からの前記処理状態通知を待ち受け、前記統合監視制御装置間通信部により前記処理状態通知を受信することで他局の統合監視制御装置における前記種別ＩＤ対応処理と、前記処理制御部による前記種別ＩＤ対応処理とを同期させる処理状態待機処理部とを備え、
前記処理対応定義部は、前記種別ＩＤを構成する複数の階層ＩＤごとに対して定義された処理、又は、前記階層ＩＤの少なくとも一つに対して定義された処理を、前記種別ＩＤ対応処理として定義するものであり、
前記階層ＩＤは、前記状態情報の種類により分類された属性、又は、前記状態情報の用途により分類された属性を示すものであることを特徴とする統合監視制御装置。
【請求項２】
自局および他局の統合監視制御装置で同期した基準時刻を出力する基準時刻時計をさらに備えた請求項１に記載の統合監視制御装置。
【請求項３】
複数の監視制御装置を監視制御する統合監視制御装置であって、
前記監視制御装置、前記監視制御装置が監視する装置、および自局あるいは他局の統合監視制御装置の何れかの状態を表す状態情報が有する種別ＩＤに対して前記種別ＩＤに対して定義された処理である種別ＩＤ対応処理を定義する処理対応定義部と、
前記監視制御装置から送信された前記状態情報を受信する受信部と、
他局の統合監視制御装置へ自局の統合監視制御装置が主管する前記状態情報を送信する状態情報送信部と、
他局の統合監視制御装置から送信される他局の統合監視制御装置が主管する前記状態情報を受信する状態情報受信部と、
前記状態情報に、前記処理対応定義部で前記状態情報が有する前記種別ＩＤに対して前記種別ＩＤ対応処理を実施するように制御する処理制御部と、
前記状態情報を記憶する状態情報記憶部と、
前記状態情報記憶部に記憶された前記状態情報から、自局の統合監視制御装置が主管する前記状態情報の変化を検出する変化検出部とを備え、
前記状態情報送信部は、前記変化検出部が変化を検出した前記状態情報を他局の統合監視制御装置へ送信し、他局の統合監視制御装置における前記種別ＩＤ対応処理と、前記処理制御部による前記種別ＩＤ対応処理とを同期させ、
前記処理対応定義部は、前記種別ＩＤを構成する複数の階層ＩＤごとに対して定義された処理、又は、前記階層ＩＤの少なくとも一つに対して定義された処理を、前記種別ＩＤ対応処理として定義するものであり、
前記階層ＩＤは、前記状態情報の種類により分類された属性、又は、前記状態情報の用途により分類された属性を示すものであることを特徴とする統合監視制御装置。
【請求項４】
複数の監視制御装置と、前記監視制御装置を監視制御する複数の統合監視制御装置を備えた統合監視制御システムであって、
前記監視制御装置は、監視対象の装置または自らの状態を表す種別ＩＤを含む状態情報を生成し、生成した前記状態情報を前記統合監視制御装置に送信し、
前記統合監視制御装置は、
前記監視制御装置、前記監視制御装置が監視する装置、および自局あるいは他局の統合監視制御装置の何れかの状態を表す状態情報が有する前記種別ＩＤに対して前記種別ＩＤに対して定義された処理である種別ＩＤ対応処理を定義する処理対応定義部と、
前記監視制御装置から前記状態情報を受信する受信部と、
他局の統合監視制御装置へ自局の統合監視制御装置が主管する前記状態情報を送信する状態情報送信部と、
他局の統合監視制御装置から送信される他局の統合監視制御装置が主管する前記状態情報を受信する状態情報受信部と、
前記状態情報に、前記処理対応定義部で前記状態情報が有する前記種別ＩＤに対して前記種別ＩＤ対応処理を実施するように制御する処理制御部と、
他局の統合監視制御装置との間で情報を送受信する統合監視制御装置間通信部と、
自局の処理の状態である処理状態通知を、前記統合監視制御装置間通信部により他局の統合監視制御装置に送信する処理状態送信部と、
他局の統合監視制御装置からの前記処理状態通知を待ち受け、前記統合監視制御装置間通信部により前記処理状態通知を受信することで他局の統合監視制御装置における前記種別ＩＤ対応処理と、前記処理制御部による前記種別ＩＤ対応処理とを同期させる処理状態待機処理部とを有し、
前記処理対応定義部は、前記種別ＩＤを構成する複数の階層ＩＤごとに対して定義された処理、又は、前記階層ＩＤの少なくとも一つに対して定義された処理を、前記種別ＩＤ対応処理として定義するものであり、
前記階層ＩＤは、前記状態情報の種類により分類された属性、又は、前記状態情報の用途により分類された属性を示すものであることを特徴とする統合監視制御システム。
【請求項５】
複数の監視制御装置と、前記監視制御装置を監視制御する複数の統合監視制御装置を備えた統合監視制御システムであって、
前記監視制御装置は、監視対象の装置または自らの状態を表す種別ＩＤを含む状態情報を生成し、生成した前記状態情報を前記統合監視制御装置に送信し、
前記統合監視制御装置は、
前記監視制御装置、前記監視制御装置が監視する装置、および自局あるいは他局の統合監視制御装置の何れかの状態を表す状態情報が有する前記種別ＩＤに対して前記種別ＩＤに対して定義された処理である種別ＩＤ対応処理を定義する処理対応定義部と、
前記監視制御装置から前記状態情報を受信する受信部と、
他局の統合監視制御装置へ自局の統合監視制御装置が主管する前記状態情報を送信する状態情報送信部と、
他局の統合監視制御装置から送信される他局の統合監視制御装置が主管する前記状態情報を受信する状態情報受信部と、
前記状態情報に、前記処理対応定義部で前記状態情報が有する前記種別ＩＤに対して前記種別ＩＤ対応処理を実施するように制御する処理制御部と、
前記状態情報を記憶する状態情報記憶部と、
前記状態情報記憶部に記憶された前記状態情報から、自局の統合監視制御装置が主管する前記状態情報の変化を検出する変化検出部とを有し、
前記状態情報送信部は、前記変化検出部が変化を検出した前記状態情報を他局の統合監視制御装置へ送信し、他局の統合監視制御装置における前記種別ＩＤ対応処理と、前記処理制御部による前記種別ＩＤ対応処理とを同期させ、
前記処理対応定義部は、前記種別ＩＤを構成する複数の階層ＩＤごとに対して定義された処理、又は、前記階層ＩＤの少なくとも一つに対して定義された処理を、前記種別ＩＤ対応処理として定義するものであり、
前記階層ＩＤは、前記状態情報の種類により分類された属性、又は、前記状態情報の用途により分類された属性を示すものであることを特徴とする統合監視制御システム。
【発明の詳細な説明】
【技術分野】
【０００１】
この発明は、計算機等により構成する複数の監視制御装置をＬＡＮやＷＡＮなどのネットワークを介して接続し、各監視制御装置から受信した状態情報を統括して処理する統合監視制御装置および統合監視制御システムに関する。
【背景技術】
【０００２】
大規模な制御システムの一例として、衛星を監視制御する地上側の管制システムである衛星管制地上システムでは、衛星との間で電波の送受信を行なうための機器、アンテナを制御するための機器等の多様な機器が正常に動作していることを監視し、状況に応じて制御を行う必要がある。それぞれの多様な機器に応じて、多数の監視装置、制御装置を設置し、状況の監視や、必要な制御を実施する。また、散在している監視装置、制御装置の情報を統合して衛星や衛星を制御する地上システムの状況の把握と、適切な制御を行うための専用の計算機を、統合監視制御装置として設置し、衛星管制地上システム全体をネットワークを介したデータ通信により、障害の発生や現在の状態情報を取得し、モニタ上に表示する等の処理を行なう。
【０００３】
また、運用停止が許されない監視制御システムでは、一部の機器で故障が発生してもシステムの運用を継続するために、同様の機能を持つ複数の系統の監視制御系を保有し、１つの系に障害が発生しても、別の系で運用を継続できるように構成される。この様な監視制御系に使用される統合監視制御装置では、切替時の機能停止が最小限となるよう、冗長系を構成するそれぞれの監視制御系において、両方の監視制御系の状態を把握できるような、状態情報を相互にやりとりする必要がある。
【０００４】
上記のように構成した管制システムでは、統合監視制御装置の機能として状態情報の取得、状態情報のチェック、画面表示などの機能を具備する必要がある。さらに、これらの機能を、担当する業務が異なる複数の運用者が使用できるよう構成する必要がある。このため、運用者毎に、状態情報を異なる形式にカスタマイズして提供できることが望ましい。ところが、反面、運用者どうしの連携を考慮すると、異なる運用者が、それぞれ別の形式でカスタマイズされた状態情報を受け取る場合でも、それらの状態情報は、整合性のある統一された情報であることが要求される。さらに、故障や機能拡張、機能変更のための機器の変更、追加などの設備変更にも対応できることが要求される。これらの全ての要求を満足できる監視システムを開発しようとすると、システム開発における負担が大きくなる。システム開発をより容易にするため、種類の異なる多数の監視制御装置の状態に関する情報を取得し、多種の要求に合わせた形式で、統一された整合性のある状態情報を提供できる統合監視制御システムを構成する技術が必要である。
【０００５】
取得した種類の異なる状態情報に対し、多様な処理を行なう統合監視制御装置としては、取得した電子情報をグループに分け、グループ毎に異なるルールにより処理するものがある（例えば、特許文献１参照）。
【０００６】
また、取得した種類の異なる状態情報に対し、多様な処理を行なう統合監視制御装置としては、プラントデータとプラントデータを処理するソフトウェアとの対応を規定し、プラントデータを選択すると、対応するソフトウェアを抽出するものがある（例えば、特許文献２参照）。
【先行技術文献】
【特許文献】
【０００７】
【特許文献１】特開２００４−３３４５７６号公報（図１）
【特許文献２】特許第５０７７８２６号（図１）
【発明の概要】
【発明が解決しようとする課題】
【０００８】
特許文献１に記載の発明は、統合監視制御装置において、取得した電子情報をグループに分類し、グループ毎に異なるルールにより電子情報を処理する。しかし、電子情報の分類を、統合監視制御装置内のみで決めているため、複数の統合監視制御装置間で共有する監視制御装置からの情報に同じ分類を行い、それぞれの情報に対する処理を統合監視制御装置で柔軟に構成することができないという課題がある。
【０００９】
特許文献２に記載の発明は、プラントデータとプラントデータを処理するソフトウェアとの対応を規定し、プラントデータの処理を行なう際に、プラントデータと対応する、登録されたソフトウェアを選択するが、ソフトウェアを抽出するためには、対象とするプラントデータ全てを統合監視制御装置に予め登録する必要があり、統合監視制御装置が扱う、種類の異なる多数の監視制御装置の状態に関する情報に適用することは容易ではないという課題がある。
【００１０】
この発明は、上述のような課題を解決するためになされたものであり、複数の局の監視制御装置で監視制御するシステムにおいて、他の局が管理する状態情報も含めて、状態情報ごとの要求に応じた形式で容易に処理できる統合監視制御装置および統合監視制御システムを得ることを目的とする。
【課題を解決するための手段】
【００１１】
この発明に係る統合監視制御装置は、複数の監視制御装置を監視制御する統合監視制御装置であって、前記監視制御装置、前記監視制御装置が監視する装置、および自局あるいは他局の統合監視制御装置の何れかの状態を表す状態情報が有する種別ＩＤに対して前記種別ＩＤに対して定義された処理である種別ＩＤ対応処理を定義する処理対応定義部と、前記監視制御装置から送信された前記状態情報を受信する受信部と、他局の統合監視制御装置へ自局の統合監視制御装置が主管する前記状態情報を送信する状態情報送信部と、他局の統合監視制御装置から送信される他局の統合監視制御装置が主管する前記状態情報を受信する状態情報受信部と、前記状態情報に、前記処理対応定義部で前記状態情報が有する前記種別ＩＤに対して前記種別ＩＤ対応処理を実施するように制御する処理制御部とを備え、前記処理対応定義部は、前記種別ＩＤを構成する複数の階層ＩＤごとに対して定義された処理、又は、前記階層ＩＤの少なくとも一つに対して定義された処理を、前記種別ＩＤ対応処理として定義するものであり、前記階層ＩＤは、前記状態情報の種類により分類された属性、又は、前記状態情報の用途により分類された属性を示すものであり、他局の統合監視制御装置との間で情報を送受信する統合監視制御装置間通信部と、自局の処理の状態である処理状態通知を、前記統合監視制御装置間通信部により他局の統合監視制御装置に送信する処理状態送信部と、他局の統合監視制御装置からの前記処理状態通知を待ち受け、前記統合監視制御装置間通信部により前記処理状態通知を受信することで他局の統合監視制御装置における前記種別ＩＤ対応処理と、前記処理制御部による前記種別ＩＤ対応処理とを同期させる処理状態待機処理部とをさらに備えることを特徴、又は、前記状態情報を記憶する状態情報記憶部と、前記状態情報記憶部に記憶された前記状態情報から、自局の統合監視制御装置が主管する前記状態情報の変化を検出する変化検出部とをさらに備え、前記状態情報送信部は、前記変化検出部が変化を検出した前記状態情報を他局の統合監視制御装置へ送信し、他局の統合監視制御装置における前記種別ＩＤ対応処理と、前記処理制御部による前記種別ＩＤ対応処理とを同期させることを特徴とするものである。
【００１２】
この発明に係る統合監視制御システムは、複数の監視制御装置と、前記監視制御装置を監視制御する複数の統合監視制御装置を備えた統合監視制御システムであって、前記監視制御装置は、監視対象の装置または自らの状態を表す種別ＩＤを含む状態情報を生成し、生成した前記状態情報を前記統合監視制御装置に送信し、前記統合監視制御装置は、前記監視制御装置、前記監視制御装置が監視する装置、および自局あるいは他局の統合監視制御装置の何れかの状態を表す状態情報が有する前記種別ＩＤに対して前記種別ＩＤに対して定義された処理である種別ＩＤ対応処理を定義する処理対応定義部と、前記監視制御装置から前記状態情報を受信する受信部と、他局の統合監視制御装置へ自局の統合監視制御装置が主管する前記状態情報を送信する状態情報送信部と、他局の統合監視制御装置から送信される他局の統合監視制御装置が主管する前記状態情報を受信する状態情報受信部と、前記状態情報に、前記処理対応定義部で前記状態情報が有する前記種別ＩＤに対して前記種別ＩＤ対応処理を実施するように制御する処理制御部とを有し、前記処理対応定義部は、前記種別ＩＤを構成する複数の階層ＩＤごとに対して定義された処理、又は、前記階層ＩＤの少なくとも一つに対して定義された処理を、前記種別ＩＤ対応処理として定義するものであり、前記階層ＩＤは、前記状態情報の種類により分類された属性、又は、前記状態情報の用途により分類された属性を示すものであり、他局の統合監視制御装置との間で情報を送受信する統合監視制御装置間通信部と、自局の処理の状態である処理状態通知を、前記統合監視制御装置間通信部により他局の統合監視制御装置に送信する処理状態送信部と、他局の統合監視制御装置からの前記処理状態通知を待ち受け、前記統合監視制御装置間通信部により前記処理状態通知を受信することで他局の統合監視制御装置における前記種別ＩＤ対応処理と、前記処理制御部による前記種別ＩＤ対応処理とを同期させる処理状態待機処理部とをさらに備えることを特徴、又は、前記状態情報を記憶する状態情報記憶部と、前記状態情報記憶部に記憶された前記状態情報から、自局の統合監視制御装置が主管する前記状態情報の変化を検出する変化検出部とをさらに備え、前記状態情報送信部は、前記変化検出部が変化を検出した前記状態情報を他局の統合監視制御装置へ送信し、他局の統合監視制御装置における前記種別ＩＤ対応処理と、前記処理制御部による前記種別ＩＤ対応処理とを同期させることを特徴とするものである。
【発明の効果】
【００１３】
この発明によれば、他の局が管理する状態情報も含めて、状態情報ごとの要求応じた形式で容易に処理できる統合監視制御装置および統合監視制御システムを得ることができる。
【図面の簡単な説明】
【００１４】
【図１】この発明に係る統合監視制御システムの例である衛星管制地上システムの運用を示すイメージ図である。
【図２】この発明の実施の形態１に係る統合監視制御システムの構成を示す図である。
【図３】この発明の実施の形態１に係る統合監視制御システムの、統合監視制御装置に障害が発生した際の構成を示す図である。
【図４】この発明に係る統合監視制御システムの状態情報の例である。
【図５】この発明に係る統合監視制御システムの状態情報に付される種別ＩＤの構成を示す図である。
【図６】この発明に係る統合監視制御システムの状態情報に付される種別ＩＤと状態情報一覧の例を示す図である。
【図７】この発明に係る統合監視制御システムが状態情報を提供する監視画面の例である。
【図８】この発明に係る監視制御装置の構成を示す図である。
【図９】この発明に係る統合監視制御システムの表示端末の構成を示す図である。
【図１０】この発明に係る統合監視制御システムの表示端末の動作を表すフローチャートである。
【図１１】この発明の実施の形態１に係る統合監視制御装置の構成を示す図である。
【図１２】この発明の実施の形態１に係る監視制御装置および統合監視制御装置のハードウェア構成の例を示す図である。
【図１３】この発明の実施の形態２に係る統合監視制御装置（運用局）の構成を示す図である。
【図１４】この発明の実施の形態２に係る統合監視制御装置（バックアップ局）の構成を示す図である。
【図１５】この発明の実施の形態２に係る統合監視制御装置の画面・音声出力通知部の動作を示す図である。
【図１６】この発明の実施の形態３に係る統合監視制御装置の構成を示す図である。
【図１７】この発明の実施の形態４に係る統合監視制御システムの構成を示す図である。
【図１８】この発明の実施の形態４に係る統合監視制御装置の構成を示す図である。
【発明を実施するための形態】
【００１５】
実施の形態１．
図１は、この発明の統合監視制御システムの例である衛星管制地上システムの運用を示すイメージ図である。図１において、１は、管制対象となる人工衛星であり、運用局１０００ａ、バックアップ局１０００ｂは、それぞれ、人工衛星１との通信、人工衛星の状態の監視や制御等の管制を行う地上局である。人工衛星の管制等に代表される、運用の停止が許されない管制システムにおいては、同じ管制対象を制御するための、ネットワークで接続された各種機器類で構成された地理的に離れた複数の地上局を備える。この様に複数の地上局を備えることにより、大規模災害や社会インフラの障害等が発生したときでも、いずれかの地上局により監視制御が継続できるようにする。運用局１０００ａは、通常時に制御対象の監視及び制御を行う。バックアップ局１０００ｂは、通常時は、制御対象の制御を行わず、制御対象の監視のみを運用局１０００ａと同様に行なう。運用局１０００ａによる制御が不可能となったときは、バックアップ局１０００ｂが運用局の替わりに制御対象の制御を行う。運用局１０００ａとバックアップ局１０００ｂとは、相互に接続されている。
【００１６】
運用局である監視制御系１０００ａを構成する機器のステータス等の状態情報は、統合監視制御装置６０ａおよび６１ａに送信される。統合監視制御装置６０ａを１系と呼び、統合監視制御装置６１ａは２系と呼ぶ。１系と２系により、運用局である監視制御系１０００ａは、更に冗長構成となっている。同様に、バックアップ局１０００ｂを構成する機器のステータス等の状態情報は、統合監視制御装置６０ｂ、６１ｂに送信される。統合監視制御装置６０ｂを１系と呼び、統合監視制御装置６１ｂを２系と呼ぶ。１系と２系により、バックアップ局である監視制御系１０００ｂは、更に冗長構成となっている。１系と２系の内で、監視制御を実施している系を使用系と呼び、他方の系を待機系と呼ぶ。待機系は、使用系に故障が発生した場合にすぐに使用系となることができるような状態にあるが。待機系は、監視装置が送信する状態情報などを受信して記憶するだけで、状態情報は処理しない。使用系が処理で生成したデータは、待機系の対応する記憶領域にも保存される。以下では、１系を使用系として、説明する。
【００１７】
図２は、この発明の実施の形態１に係る統合監視システムの構成を表す図である。運用局１０００ａは、例えば図１のように、ネットワーク７０ａにより接続された機器１０ａ、監視制御装置２０ａ、監視制御装置３０ａ、監視制御装置４０ａ、１系の統合監視制御装置６０ａ、２系の統合監視制御装置６１ａ、および表示端末５０ａで構成される。機器１０ａは、例えば、通信装置等の、監視及び制御の対象である機器であり、監視制御装置２０ａにより監視され、制御される。３０ａ、４０ａは、それぞれ、２０ａのように、機器を監視及び制御する。監視制御装置２０ａ、監視制御装置３０ａ、監視制御装置４０ａは、それぞれの制御対象や、監視制御装置自身のステータスなどの状態情報を、ネットワーク７０ａ経由で、１系の統合監視制御装置６０ａおよび２系の統合監視制御装置６１ａに送信する。表示端末５０ａは、１系の統合監視制御装置６０ａまたは２系の統合監視制御装置６１ａに接続され、接続された統合監視制御装置（６０ａまたは６１ａ）がネットワークを介して受信した状態情報を表示し、操作者からの制御入力を受け付ける。なお、２系の統合監視制御装置６１ａに接続している場合は、操作者は制御できない。
【００１８】
１系の統合監視制御装置６０ａと２系の統合監視制御装置６１ａは、表示端末５０ａが接続先を１系の統合監視制御装置６０ａから２系の統合監視制御装置６１ａに、あるいはその逆に接続を切替えても連続して状態情報の表示ができるよう、ネットワーク７０ａ上の全ての監視制御装置から同じ状態情報を受け取り、記憶している。
【００１９】
具体的には、監視制御装置２０ａ、監視制御装置３０ａ、監視制御装置４０ａは、１系の統合監視制御装置６０ａと２系の統合監視制御装置６１ａに同じステータス情報を送信する。更に、１系の統合監視制御装置６０ａおよび２系の統合監視制御装置６１ａも、それぞれ自らのステータスなどの状態情報を監視制御装置２０ａ、監視制御装置３０ａ、監視制御装置４０ａ等の状態情報に加えて記憶すると共に、互いの統合監視制御装置間で、１系の統合監視制御装置６０ａの状態情報を２系の統合監視制御装置６１ａに、２系の統合監視制御装置６１ａの状態情報を１系の統合監視制御装置６０ａに送信する。統合監視制御装置の状態情報として、自局が監視制御装置への制御を実施する運用局かどうかを表す運用状態と、使用系または待機系のどちらであるかを表す制御状態と、統合監視制御装置が正常に動作しているかどうかを表す運転状態を有する。統合監視制御装置の状態情報として、他の種類の情報を有してもよい。
【００２０】
バックアップ局１０００ｂも、運用局１０００ａと同様であり、例えば図２のように、ネットワーク７０ｂにより接続された機器１０ｂ、監視制御装置２０ｂ、監視制御装置３０ｂ、監視制御装置４０ｂ、１系の統合監視制御装置６０ｂ、２系の統合監視制御装置６１ｂ、および表示端末５０ｂで構成される。監視制御装置２０ｂ、監視制御装置３０ｂ、監視制御装置４０ｂは、それぞれの制御対象や、監視制御装置自身の状態情報を、ネットワーク７０ｂ経由で、１系の統合監視制御装置６０ｂ、および、２系の統合監視制御装置６１ｂに送信する。表示端末５０ｂは、１系の統合監視制御装置６０ｂまたは２系の統合監視制御装置６１ｂに接続され、接続された統合監視制御装置（６０ｂまたは６１ｂ）がネットワークを介して受信した状態情報を表示し、操作者からの制御入力を受け付ける。バックアップ局１０００ｂでは、衛星に指令を送る制御は実施できない。また、２系の統合監視制御装置６１ａに接続している場合は、操作者は制御できない。
【００２１】
１系の統合監視制御装置６０ｂと２系の統合監視制御装置６１ｂは、ネットワーク７０ｂ上の全ての監視制御装置および統合監視制御装置から同じ状態情報を受け取り、記憶する。そうすることで、表示端末５０ａが接続先を１系の統合監視制御装置６０ａから２系の統合監視制御装置６１ａに、あるいはその逆に接続を切替えても連続して状態情報の表示ができる。
【００２２】
図２は正常時、図３は、運用局の１系の統合監視制御装置６０ａに障害が発生したときの統合監視制御システムの状態を表す。正常時は、図２に示すように、表示端末５０ａは、１系の統合監視制御装置６０ａに接続し、１系の統合監視制御装置６０ａから受信した状態情報の表示を行なう。１系の統合監視制御装置６０ａに障害が発生すると、待機系であった２系が使用系になり、図３に示すように、表示端末５０ａは、２系の統合監視制御装置６１ａに接続する。バックアップ局の１系と２系に関しても、使用系である１系が故障した場合には、同様に動作する。
【００２３】
運用局１０００ａやバックアップ局１０００ｂのように、多重系を構成する監視制御系の場合、運用局からバックアップ局へ、又は、バックアップ局から運用局に制御を切替える前後においては、制御の連続性を確保する必要がある。このために、運用局の操作者は、運用局の表示端末５０ａにおいて、運用局１０００ａが主管する状態情報のみならず、バックアップ局１０００ｂが主管する状態情報も監視する。また、バックアップ局の操作者も、バックアップ局の表示端末５０ｂにおいて、バックアップ局１０００ｂが主管する状態情報のみならず、運用局１０００ａが主管する状態情報も監視する。このため、運用局１０００ａの統合監視制御装置６０ａ，６１ａとバックアップ局１０００ｂの統合監視制御装置６０ｂ，６１ｂとは、局内のネットワーク（７０ａ、７０ｂ）とは別の、運用局１０００ａとバックアップ局１０００ｂとの局間を結ぶネットワーク等により接続されている。
【００２４】
運用局及びバックアップ局で、互いの状態情報を監視するため、運用局の１系の統合監視制御装置６０ａは、取得した運用局１０００ａの状態情報をバックアップ局の１系の統合監視制御装置６０ｂと２系の統合監視制御装置６１ｂに送信する。また、バックアップ局の１系の統合監視制御装置６０ｂは、取得したバックアップ局１０００ｂの状態情報を運用局の１系の統合監視制御装置６０ａと２系の統合監視制御装置６１ａに送信する。この様にして、運用局の１系の統合監視制御装置６０ａとバックアップ局とは、運用局１０００ａのステータス情報とバックアップ局１０００ｂの状態情報を共有する。運用局の待機系である２系の統合監視制御装置６１ａが運用局１０００ａの状態情報を送信してもよい。また、バックアップ局の待機系である２系の統合監視制御装置６１ｂがバックアップ局１００ｂの状態情報を送信してもよい。
【００２５】
なお、図２および図３で示した構成は、あくまでも一例であり、この統合監視制御系においては、任意の数、任意の種類の機器を制御する、任意の数、任意の種類の監視制御装置がネットワークにより１系の統合監視制御装置６０ａ（６０ｂ）、および、２系の統合監視制御装置６１ａ（６１ｂ）に接続され、それぞれ状態情報を送信する。また、状態情報を受信する統合監視制御装置についても、１系の統合監視制御装置６０ａ（６０ｂ）、および、２系の統合監視制御装置６１ａ（６１ｂ）の２台で構成する場合のみに限るものではなく、運用上の要求に合わせ、任意の数の統合監視制御装置を備える構成としてよい。
【００２６】
また、運用局１０００ａ内部を接続するネットワーク７０ａは、図２および図３としては、監視制御装置２０ａが接続されたネットワーク（ＮＷ−１）、監視制御装置３０ａ及び監視制御装置４０ａが接続されたネットワーク（ＮＷ−２）、ならびに１系の統合監視制御装置６０ａ及び２系の監視制御装置６１ａが接続されたネットワーク（ＬＡＮ）をルータにより接続する例が示されているが、それぞれの監視制御装置（２０ａ、３０ａ、４０ａ）と１系の統合監視制御装置６０ａ、２系の統合監視制御装置６１ａが接続されている構成であれば他のネットワーク構成でもかまわない。バックアップ局１０００ｂ内部を接続するネットワーク７０ｂについても同様であり、それぞれの監視制御装置（２０ａ、３０ａ、４０ａ）と１系の統合監視制御装置６０ｂ、２系の統合監視制御装置６１ｂが接続されている構成であれば他のネットワーク構成でもかまわない。
【００２７】
図４にそれぞれの監視制御装置および統合監視制御装置から統合監視制御装置に送信される状態情報の形式を示す。状態情報は、操作者が必要とする情報の種類毎にカテゴリ分類され、分類を示すＩＤ（以下種別ＩＤと呼ぶ）と共に送られる。図４において、括弧で囲まれた文字列がそれぞれの機器や監視制御装置のステータス等の状態情報であり、括弧の外の「ＳＩＴＥ１＿ＳＹＳ１＿ＡＡ」が状態情報の分類である種別ＩＤを表す。
【００２８】
括弧内に示されている「ｔｉｍｅ：」、「ｎａｍｅ：」、「ｖａｌｕｅ：」、「ｅｖｅｎｔ：」は、それぞれが、「ＳＩＴＥ１＿ＳＹＳ１＿ＡＡ」と言う種別ＩＤで表される分類の状態情報が供える、状態情報に含まれるデータの種類を表す。”20140101  12:34:56:123”は、「ｔｉｍｅ：」に対する時刻を表現するデータである。”周波数”は、「ｎａｍｅ：」に対するデータである。”1.234”は、「ｖａｌｕｅ：」に対するデータである。”正常に送信されました”は、「ｅｖｅｎｔ：」に対するデータである。つまり、図４は、「ＳＩＴＥ１＿ＳＹＳ１＿ＡＡ」と言う種別ＩＤで表される分類で、時刻が”20140101  12:34:56:123”に、”周波数”が”1.234”であるデータが”正常に送信されました”というイベントが発生したことを意味するデータを伴った状態情報である。
【００２９】
図５に、状態情報と共に送信される種別ＩＤの構成の例を示す。種別ＩＤ（２０００）である「ＳＩＴＥ１＿ＳＹＳ１＿ＡＡ」は、「ＳＩＴＥ１」（階層１（２０１０ａ））、「ＳＹＳ１」（階層２（２０１０ｂ））、「ＡＡ」（階層３（２０１０ｃ））により構成される。これら、階層１、階層２、階層３等は、それぞれが送信される状態情報を情報の種類や、情報の用途等により分類された属性を示すものであり、階層ＩＤと呼ぶ。種別ＩＤは、階層ＩＤを上位の階層から結合させることによって、複数の分類の属性も同時に含む、更に細分化された新たな分類の属性となる。図５の例で示す、「ＳＩＴＥ１＿ＳＹＳ１＿ＡＡ」（２０００）は、「ＳＩＴＥ１」（２０１０ａ）、「ＳＹＳ１」（２０１０ｂ）、「ＡＡ」（２０１０ｃ）の３つの階層の属性を結合させたものであり、この種別ＩＤが付けられた状態情報は、階層１、階層２、階層３の多重な属性を持つことを示す。図５の例では、種別ＩＤとして、３つの階層ＩＤを結合させて定義する例を示したが、一般には、１つ以上であれば、いくつの階層ＩＤを結合させて種別ＩＤとしても良い。
【００３０】
統合監視制御装置（１系の統合監視制御装置６０ａ、６０ｂ、２系の統合監視制御装置６１ａ、６１ｂ）は、図５に示す種別ＩＤ２０００が付された状態情報について、種別ＩＤ２０００毎に状態情報の表示、状態情報による警報、状態情報の集計等の状態情報を提供する処理を定義する。その際、種別ＩＤ２０００毎に個別の異なる処理を定義しても良い。また、種別ＩＤ２０００を構成する１つの階層（２０１０ａ、２０１０ｂ、２０１０ｃ）の属性によって種別ＩＤを分類し、分類した種別ＩＤを有する状態情報に対して対応する処理を定義しても良い。その場合は、当該の同じ属性の階層ＩＤを含む種別ＩＤ（例えば、「ＡＡ」という階層３の階層ＩＤ２０１０ｃを含む種別ＩＤ２０００として「ＳＩＴＥ１＿ＳＹＳ１＿ＡＡ」、「ＳＩＴＥ２＿ＳＹＳ１＿ＡＡ」、「ＳＩＴＥ１＿ＳＹＳ２＿ＡＡ」など）が付された状態情報に対して処理を定義するようにする。
【００３１】
種別ＩＤ２０００を構成する複数の階層ＩＤの属性によって種別ＩＤを分類し、分類した種別ＩＤを有する状態情報に対して対応する処理を定義しても良い。その場合は、当該の階層ＩＤが当該の属性である種別ＩＤ（例えば、「ＳＩＴＥ１＿ＳＹＳ１」という階層１の階層ＩＤ２０１０ａと階層２の階層ＩＤ２０１０ｂの組み合わせを含む種別ＩＤ２０００として「ＳＩＴＥ１＿ＳＹＳ１＿ＡＡ」、「ＳＩＴＥ１＿ＳＹＳ１＿ＡＢ」、「ＳＩＴＥ１＿ＳＹＳ１＿ＢＢ」など）が付された状態情報に対して、統合監視制御装置（１系の統合監視制御装置６０ａ、６０ｂ、２系の統合監視制御装置６１ａ、６１ｂ）において処理を定義する。さらに、同一の階層ＩＤを含むか含まないかに係らず、例えば、「ＳＩＴＥ２＿ＳＹＳ１＿ＡＡ」と「ＳＩＴＥ１＿ＳＹＳ２＿ＡＢ」などの複数の種別ＩＤに対して、同じ処理を定義しても良い。
【００３２】
図６は、それぞれの統合監視制御装置に送られる状態情報に含まれる種別ＩＤと状態情報の例である。図６の例では、図２の監視制御系の構成に従い、階層１（状態情報を受信する統合監視制御装置が運用局／バックアップ局の区別による分類）、階層２（状態情報を受信する統合監視制御装置が１系／２系の別による分類）、階層３（監視対象による分類）が結合した種別ＩＤにより、この種別ＩＤが付された状態情報を分類するものである。このような種別ＩＤによれば、ネットワーク上の位置、運用局／バックアップ局の区別、１系／２系の区別、監視対象となる機材などの構成上の分類を使用して、状態情報を効率よく分類することができる。
【００３３】
この他、階層ＩＤとしては、同一運用者が必要とする情報による分類、決まった運用に関連する情報による分類、機器の維持、整備に関わる分類等も含めてどの様な分類を行なってもよい。例えば、種別ＩＤ「ＳＩＴＥ１＿ＳＹＳ１＿ＡＡ」で表される「ＡＡ」の状態情報について、「ＡＡ」が２つの構成「ＡＡ１」および「ＡＡ２」により構成され、「ＡＡ１」と「ＡＡ２」を別の場面で参照することが必要な場合は、状態情報に含まれる種別ＩＤに更に階層４の階層ＩＤを加えて、「ＳＩＴＥ１＿ＳＹＳ１＿ＡＡ＿ＡＡ１」および「ＳＩＴＥ１＿ＳＹＳ１＿ＡＡ＿ＡＡ２」とするように変更すればよい。この様にして、監視制御装置が送信する状態情報にこの種別ＩＤを付すとともに、統合監視制御装置側では、「ＳＩＴＥ１＿ＳＹＳ１＿ＡＡ＿ＡＡ１」と「ＳＩＴＥ１＿ＳＹＳ１＿ＡＡ＿ＡＡ２」それぞれに、状態情報を提供する異なる処理を定義すればよい。この様に種別ＩＤを構成することで、統合監視制御システムの一部の構成を変更した場合でも、構成が変更された部分に限り、監視制御装置から統合監視制御装置に送る、または統合監視制御装置内で生成する状態情報に含める種別ＩＤを変更するのみで、柔軟に状態情報の分類を変更することが可能である。
【００３４】
また、例えば同じＡＡについても、機材を換装するなどにより、それぞれの運用局の構成が異なるようになった場合でも対応が可能である。例えば、運用局については、「ＡＡ」が「ＡＡ１」と「ＡＡ２」により構成され、バックアップ局については、「ＡＡ」が「ＡＡ３」と「ＡＡ４」により構成される様な場合には、状態情報に含める種別ＩＤについて、運用局とバックアップ局とを分類する「ＳＩＴＥ１」、「ＳＩＴＥ２」を含む種別ＩＤと変更することにより、運用局については、「ＳＩＴＥ１＿ＳＹＳ１＿ＡＡ＿ＡＡ１」および「ＳＩＴＥ１＿ＳＹＳ１＿ＡＡ＿ＡＡ２」、バックアップ局については、「ＳＩＴＥ２＿ＳＹＳ１＿ＡＡ＿ＡＡ３」および「ＳＩＴＥ２＿ＳＹＳ１＿ＡＡ＿ＡＡ４」などのように、［ＡＡ］の構成をさらに分類して、監視、制御を行うことができる。新たな種別ＩＤにより情報を分類するように変更する場合には、監視制御装置および統合監視制御装置で、状態情報に含ませる種別ＩＤおよび、種別ＩＤに対して実施する処理を変更すればよい。
【００３５】
上記のＡＡ、ＡＡ１、ＡＡ２等の例として、例えば、運用局およびバックアップ局が東京にある東京局と大阪にある大阪局であるとする。東京局、大阪局はそれぞれ、ＭＡＩＮ／ＳＵＢと言う２台の統合監視制御装置で構成されるとする。その場合には、東京局、大阪局に設けられている、通信装置（ＣＯＭ）などの機材がＭＡＩＮの統合監視制御装置、ＳＵＢの統合監視制御装置にそれぞれ送信する状態情報の種別ＩＤは、「ＴＯＫＹＯ＿ＭＡＩＮ＿ＣＯＭ」、「ＴＯＫＹＯ＿ＳＵＢ＿ＣＯＭ」、「ＯＳＡＫＡ＿ＭＡＩＮ＿ＣＯＭ」等のように表される。この例では、ＡＡが「ＣＯＭ」である。また、東京局の通信装置（ＣＯＭ）を送信装置（ＴＸ）と受信装置（ＲＸ）により構成する場合は、東京局側の通信装置（ＣＯＭ）が送信する状態情報の種別ＩＤは、「ＴＯＫＹＯ＿ＭＡＩＮ＿ＣＯＭ＿ＴＸ」、「ＴＯＫＹＯ＿ＭＡＩＮ＿ＣＯＭ＿ＲＸ」である。この例では、ＡＡ１が「ＴＸ」、ＡＡ２が「ＲＸ」である。さらに、大阪局の通信装置（ＣＯＭ）を、無線装置（ＲＦ）とベースバンド装置（ＢＢ）とで構成する場合、大阪局側の通信装置（ＣＯＭ）が送信する状態情報の種別ＩＤは、「ＯＳＡＫＡ＿ＭＡＩＮ＿ＣＯＭ＿ＲＦ」、「ＯＳＡＫＡ＿ＭＡＩＮ＿ＣＯＭ＿ＢＢ」等のように表される。この例では、ＡＡ１が「ＲＦ」、ＡＡ２が「ＢＢ」である。
【００３６】
統合監視制御装置（１系の統合監視制御装置６０ａ、６０ｂ、２系の統合監視制御装置６１ａ、６１ｂ）は、上記のように構成されたそれぞれの種別ＩＤに対して、それぞれの種別ＩＤが付された状態情報に対して実施する処理を定義する。
【００３７】
図７は、図６の様に構成された種別ＩＤが付された状態情報をもとに、統合監視制御装置（１系の統合監視制御装置６０ａ、６０ｂ、２系の統合監視制御装置６１ａ、６１ｂ）が定義する処理の処理結果の例であり、運用局１０００ａ、バックアップ局１０００ｂの状況を確認する画面を構成した例である。状態情報は、階層１（運用局／バックアップ局の区別による分類）、階層２（状態情報を受信する統合監視制御装置の１系／２系の区別による分類）、階層３（監視対象による分類）が結合した種別ＩＤが付されているため、図７（ａ）の様に、それぞれの地上局の使用系と待機系に分けて状態情報を表示するよう構成することもでき、また、図７（ｂ）の様に、監視対象毎に状態情報を表示するよう構成することもできる。
【００３８】
例えば、運用局１０００ａとバックアップ局１０００ｂを含めた全体の状態を確認することを想定した例では、図７（ａ）のように、運用局、バックアップ局をあわせた全体の状態情報を１つの監視画面３０００により表示する。さらに、運用局１０００ａ、バックアップ局１０００ｂが主管する状態情報は、それぞれ表示エリア３０１０、３０２０に表示される。また、１系の統合監視制御装置６０ａで受信した状態情報として、「ＳＩＴＥ１＿ＳＹＳ１」で始まる種別ＩＤ（「ＳＩＴＥ１＿ＳＹＳ１＿ＡＡ」、「ＳＩＴＥ１＿ＳＹＳ１＿ＡＢ」等）が付された状態情報が全て集められ、１系の表示エリア３０１１に表示される。２系の統合監視制御装置６１ａで受信した状態情報は、「ＳＩＴＥ１＿ＳＹＳ２」で始まる種別ＩＤ（「ＳＩＴＥ１＿ＳＹＳ２＿ＡＡ」、「ＳＩＴＥ１＿ＳＹＳ２＿ＡＢ」等）が付された状態情報が全て集められ、２系の表示エリア３０１２に表示される。また、「ＳＩＴＥ１＿」で始まる、運用局１０００ａについての状態情報に含まれる障害履歴は、表示エリア３０１３にリスト表示される。「ＳＩＴＥ２＿」で始まる、バックアップ局１０００ｂについての状態情報に含まれる障害履歴は、表示エリア３０２３にリスト表示される。
【００３９】
また、例えば、特定の機材や、特定の状態情報を確認することを想定した例では、図７（ｂ）のように、運用局１０００ａ、バックアップ局１０００ｂの状態情報をそれぞれ監視画面３１００、３２００にまとめ、注目する特定の機材や、特定の状態情報が属する系の状態情報のみ表示することを可能にする。また、監視画面３１００を特定の機材や、特定の状態情報である「ＡＡ」に関する情報を表示する表示エリア３１１０、「ＡＢ」に関する情報を表示する表示エリア３１２０等に分割し、「ＡＡ」に関する状態情報は、「ＳＩＴＥ１」および「ＡＡ」を含む種別ＩＤ（「ＳＩＴＥ１＿ＳＹＳ１＿ＡＡ」、「ＳＩＴＥ１＿ＳＹＳ２＿ＡＡ」）が付された状態情報を集めて表示エリア３１１１に表示される。また、「ＳＩＴＥ１」および「ＡＡ」を含む種別ＩＤ（「ＳＩＴＥ１＿ＳＹＳ１＿ＡＡ」、「ＳＩＴＥ１＿ＳＹＳ２＿ＡＡ」）が付された状態情報を集めて抽出されたイベントは、表示エリア３１１２に、リスト表示される。特定の機材や、特定の状態情報である「ＡＢ」に関しても同様であり、「ＡＢ」に関する状態情報は、「ＳＩＴＥ１」および「ＡＢ」を含む種別ＩＤ（「ＳＩＴＥ１＿ＳＹＳ１＿ＡＢ」、「ＳＩＴＥ１＿ＳＹＳ２＿ＡＢ」）が付された状態情報を集めて表示エリア３１２１に表示される。また、「ＳＩＴＥ１」および「ＡＢ」を含む種別ＩＤ（「ＳＩＴＥ１＿ＳＹＳ１＿ＡＢ」、「ＳＩＴＥ１＿ＳＹＳ２＿ＡＢ」）が付された状態情報を集めて抽出されたイベントは、表示エリア３１２２にリスト表示される。
【００４０】
図７（ａ）および（ｂ）に示した監視画面は、それぞれ、切替えて表示されたり、同時に表示されたりする。また、図７（ａ）、（ｂ）に示した監視画面はあくまでも一例であり、運用にあわせて、様々な状態情報を組み合せて監視画面を構成することができる。また、監視画面による状態情報の提供のみならず、音声又は警報音の出力等による状態情報の通知についても、種別ＩＤ毎にまたは、決められた複数の種別ＩＤの組毎に音声出力の処理内容を定義することにより、それぞれの運用者に対してカスタマイズされた状態情報を提供する。
【００４１】
また、図７に示した監視画面は、いずれも図６に示した、「ＳＩＴＥ１＿ＳＹＳ１＿ＡＡ」のような、状態情報が表す特定の機材や、監視制御系の構成の別を示す種別ＩＤを含む状態情報を使用することにより、作成可能である。この様な監視画面に、特別な処理を定義し、その処理のためのデータを定義することも可能である。例えば、受信した状態情報の内容に基づき、警報を発する必要がある場合は、階層４として「ＡＬＡＲＭ」、受信した状態情報を詳細ウィンドウにより表示する場合は、「ＤＴＬＷ」、受信した状態情報をイベントウィンドウにより表示する場合は、「ＥＶＮＴ」等とそれぞれ定義することができる。例えば、東京にある東京局の通信装置からの警報を発する必要がある状態情報については「ＴＯＫＹＯ＿ＭＡＩＮ＿ＣＯＭ＿ＡＬＡＲＭ」等、大阪にある大阪局の通信装置からの、詳細ウィンドウにより表示する状態情報については、「ＯＳＡＫＡ＿ＭＡＩＮ＿ＣＯＭ＿ＤＴＬＷ」等のように表すことも可能である。
【００４２】
次に、運用局１０００ａやバックアップ局１０００ｂを構成するそれぞれの構成について説明する。図８は、監視制御装置２０ａの構成を示す機能ブロック図である。ここでは、監視制御装置２０ａについて説明するが、同じ運用局内の２０ａ、３０ａ、４０ａについても、構成、動作は全く同様である。また、バックアップ局内の２０ｂ、３０ｂ、４０ｂについても、構成、動作は全く同様である。監視制御装置２０ａは、状態情報を生成する状態情報生成部２１０、生成した状態情報に種別ＩＤを含ませるＩＤ付与部２２０と、ＩＤ付与部２２０が種別ＩＤを含ませた状態情報を統合監視制御装置６０ａ及び６１ａに送信する状態情報送信部２３０とを備えている。
【００４３】
状態情報生成部２１０は、機器１０や、監視制御装置２０ａの状態を表す状態情報を生成する。次に、ＩＤ付与部２２０が、状態情報生成部２１０が生成した状態情報に、種別ＩＤを含ませる。種別ＩＤは、例えば、図６に示すように、運用局／バックアップ局の区別、監視データが送信される統合監視制御装置の１系／２系の区別、および、監視データに含まれるステータスの種類によって決められている。
【００４４】
図９は、表示端末５０ａの構成を示すブロック図である。ここでは、表示端末５０ａについて説明するが、５０ｂについても、構成、動作は同様である。表示端末５０ａは、統合監視制御装置６０ａまたは６１ａと接続する接続部５１０、接続した統合監視制御装置６０ａまたは６１ａから、状態情報を操作者に提供するための表示や音声を制御する制御信号の形式にした監視情報を受信する監視情報受信部５２０、監視情報を、統合監視制御装置６０ａまたは６１ａによって決められた監視画面により表示する画面表示部５３０、および監視データについて、警報を含んだ音声出力を行なう音声出力部５４０を備えている。
【００４５】
図１０は、表示端末５０ａの動作を表すフローチャートである。表示端末５０ａは、起動されると、接続部５１０が統合監視制御装置６０ａまたは６１ａに接続し（Ｓ１０１）、監視情報の受信を開始する。表示情報受信部５２０は、接続部５１０が接続した統合監視制御装置（６０ａまたは６１ａ）から、状態情報を操作者に提供するための表示や音声の制御信号の形式にした監視情報を受信する（Ｓ１０２）。画面表示部５３０は、監視受信部５２０が受信した監視情報を画面上に表示する（Ｓ１０３）。音声出力部５４０は、監視受信部５２０が受信した監視情報を音声出力する（Ｓ１０４）。接続部５１０が、接続している統合監視制御装置（６０ａまたは６１ａ）との間のデータ受信のタイムアウトを検出するか、または、状態情報受信部５２０が、受信データに異常があると判断する等、統合監視制御装置から正しい状態情報が、規定内の時間で受信できるかを確認し、規定内の時間で受信できない場合に、統合監視制御装置の障害と判断する（Ｓ１０５）。接続している統合監視制御装置（６０ａまたは６１ａ）に障害が検出されない場合（Ｓ１０５でＮｏの場合）、表示端末５０ａは、監視情報の受信を続ける。接続している統合監視制御装置（６０ａまたは６１ａ）に障害が検出された場合（Ｓ１０５でＹｅｓの場合）、表示端末５０ａは、接続部５１０に統合監視制御装置との接続を切断させ（Ｓ１０６）、再度、統合監視制御装置６０ａまたは６１ａへの接続（Ｓ１０１）からやり直す。
【００４６】
図１１は、運用局の統合監視制御装置６０ａおよび６１ａの構成を表すブロック図である。ここでは、統合監視制御装置６０ａについて説明するが、統合監視制御装置６０ｂについても、構成、動作は全く同様である。また、バックアップ局の統合監視制御装置６０ｂおよび６１ｂについても構成、動作は全く同様である。
【００４７】
図１１において、統合監視制御装置６０ａは、運用局１０００ａのそれぞれの監視制御装置（２０ａ、３０ａ、４０ａ）および統合監視制御装置６０ａ自身の状態情報、バックアップ局１０００ｂのそれぞれの監視制御装置（２０ｂ、３０ｂ、４０ｂ）および統合監視制御装置６０ｂの状態情報を取得する状態情報取得部６１０、取得した状態情報を種別ＩＤ毎に分類する状態情報振分部６２０、種別ＩＤ毎に分類された状態情報を記憶する種別ＩＤ毎状態情報記憶部６３０、取得した種別ＩＤ毎の状態情報をバックアップ局１０００ｂの統合監視制御装置６０ｂに送信する状態情報送信部６４０、状態情報に対し、状態情報が有する種別ＩＤと状態情報に実施する処理との対応を定義する処理対応定義部６５０、処理対応定義部が定義した種別ＩＤ毎に決められた処理を状態情報に行なわせる処理制御部６６０を備えている。
【００４８】
状態情報取得部６１０は、運用局１０００ａのそれぞれの監視制御装置（２０ａ、３０ａ、４０ａ）から状態情報を受信する受信部６１１、統合監視制御装置６０ｂから、バックアップ局１０００ｂのそれぞれの監視制御装置（２０ｂ、３０ｂ、４０ｂ）および統合監視制御装置６０ｂの状態情報を取得する状態情報受信部６１２、受信部６１１や状態情報受信部６１２が受信した状態情報のデータ形式や、データの整合性をそれぞれ確認する状態定義部６１３、６１４、および、統合監視制御装置６０ａ自身の状態情報を取得する自装置状態情報取得部６１５を備えている。
【００４９】
状態情報振分部６２０は、状態情報取得部６１０で取得した状態情報を、状態情報に付されている種別ＩＤ毎に分類し、種別ＩＤ毎状態情報記憶部６３０に記憶させる。尚、バックアップ局１０００ｂに関する状態情報は、後述のように、バックアップ局の統合監視制御装置の状態情報振分部６２０により振分けられたものを受信するため、この統合監視制御装置６０ａの状態情報振分部６２０による種別ＩＤ毎の分類を行なわず、直接種別ＩＤ毎状態情報記憶部６３０に記憶する。
【００５０】
種別ＩＤ毎状態情報記憶部６３０は、受信部６１１や自装置状態情報取得部６１５が取得した運用局１０００ａの状態情報を記憶する自局記憶部６３１と、状態情報受信部６１２が取得したバックアップ局１０００ｂの状態情報を記憶する他局記憶部６３２とを備えている。運用局およびバックアップ局の統合監視制御装置において、自局記憶部６３１に記憶される状態情報が、自局が主管する状態情報である。
【００５１】
種別ＩＤ毎状態情報記憶部６３０の自局記憶部６３１に新たな状態情報が記憶されると、記憶された状態情報は、処理対応定義部６５０により定義される処理が処理されるよう、処理制御部６６０により制御される。それと同期して、自局記憶部６３１に新たに記憶された状態情報は、周期的に状態情報送信部６４０により、バックアップ局の統合監視制御装置６０ｂ（６１ｂ）に送信される。送信された状態情報は、統合監視制御装置６０ｂ（６１ｂ）の状態情報受信部６１２により受信され、統合監視制御装置６０ｂ（６１ｂ）の処理定義部６１４で状態情報のデータ形式や、データの整合性がそれぞれ確認され、統合監視制御装置６０ｂ（６１ｂ）の種別ＩＤ毎状態情報記憶部６３０に記憶される。
【００５２】
同様の構成により、バックアップ局の統合監視制御装置６０ｂ（６１ｂ）がバックアップ局１０００ｂの監視制御装置（２０ｂ、３０ｂ、４０ｂ）および統合監視制御装置６０ｂから取得した状態情報についても、受信部６１１で受信されて状態定義部６１３でデータ形式や、データの整合性が確認されるか、自装置状態情報取得部６１５から取得され、状態情報振分部６２０により分類され、種別ＩＤ毎状態情報記憶部６３０に記憶されると、状態情報送信部６４０により、運用局の統合監視制御装置６０ａ（６１ａ）に送信される。この様に送信されたバックアップ局の状態情報が、前述の状態情報受信部６１２により受信される状態情報である。
【００５３】
処理対応定義部６５０は、状態情報が有する種別ＩＤ又は、種別ＩＤの組み合わせに対して、状態情報を用いて実施される処理である種別ＩＤ対応処理を定義する。種別ＩＤと処理との対応については、前述の通り、種別ＩＤ毎に個別の異なる処理を割当ててもよいし、種別ＩＤを構成する１つまたは複数の階層の属性によって種別ＩＤを分類し、分類した種別ＩＤ毎に処理を割当てても良い。これは、例えば、図５の示す３階層で構成される種別ＩＤにおいて、第３階層（２０１０ｃ）が「ＡＡ」である種別ＩＤを持つ状態情報に対して実施する処理を定義したり、第１階層（２０１０ａ）と第２階層（２０１０ｂ）が「ＳＩＴＥ１＿ＳＹＳ１」である種別ＩＤを持つ状態情報に対して実施する処理を定義したりするなどである。また、任意の種別ＩＤを選択して構成したグループ毎に処理を割りあてても良いし、特別な階層を加えた種別ＩＤについて処理を割当てても良い。処理対応定義部６５０が種別ＩＤに対して割当てる処理として、運用者に対する画面表示処理を行なう場合、処理対応定義部６５０は、それぞれの種別ＩＤ毎に、監視画面表示などの表示、音声出力等の処理内容を定義する。
【００５４】
処理制御部６６０は、処理対応定義部６５０に種別ＩＤに対して定義された処理を、種別ＩＤ毎に分類された状態情報に対して実施するよう制御する。処理制御部６６０は、それぞれの種別ＩＤ毎の状態情報が、故障、警報等の予め定められた状態に該当するか判定する状態判定部６６１と、状態判定部６６１が判定した状態に従い、処理対応定義部６５０で定義された、表示エリアの位置への状態情報の表示や、音声出力を行なうための制御信号を生成する表示・音声制御部６６２、音声制御部６６２が生成した制御信号を表示端末５０ａに送信する表示・音声送信部６６３とを備えている。
【００５５】
図７の例では、「ＳＩＴＥ１＿ＳＹＳ１＿ＡＡ」の種別ＩＤが付された状態情報については、図７（ａ）の表示エリア３０１１、３０１３への表示、図７（ｂ）の表示エリア３１１１、３１１２への表示などが処理対応定義部６５０より定義される。状態判定部６６１および、表示・音声制御部６６２は、状態情報に対して、処理対応定義部６５０で定義されたそれぞれの処理を実施するよう制御する。状態判定部６６１は、当該種別ＩＤに蓄積された状態情報を基に、障害発生等の特定の事象を判定する。次に、表示・音声制御部６６２が、表示端末５０ａに、状態情報を、種別ＩＤ毎に決められた表示部品により、例えば図６のように決められた表示エリアの位置に表示させる制御信号を生成する。ここで、それぞれの表示部品は、状態判定部６６１が判定した結果により、例えば、障害発生に対応して点滅する等の表示属性を設定しても良い。また、表示部品が起動ボタンである場合は、種別ＩＤ該当の表示エリアに同じ装置のボタンが既にあるか無いかを判定し、無い場合は追加表示を行うよう構成しても良い。また、表示部品は、種別ＩＤ毎に決めるようにしても良いし、又は、種別ＩＤに表示部品を表す階層の階層ＩＤを追加し、種別ＩＤそのものが、表示部品を表すようにしてもよい。
【００５６】
更に、表示・音声制御部６６２が、それぞれの種別ＩＤ毎に、処理対応定義部６５０、状態判定部６６１の処理結果に基づく表示、音声出力等の処理内容を表示端末５０ａに実施させる指示を作成する。処理対応定義部６５０は、種別ＩＤ毎状態情報記憶部６３０の状態情報が蓄積された全ての種別ＩＤについて、種別ＩＤに対応する処理を定義し、提示する。処理制御部６６０は、状態判定部６６１、表示・音声制御部６６２の動作を、種別ＩＤ毎状態情報記憶部６３０の状態情報が蓄積された全ての種別ＩＤについて実施する。表示・音声制御部６６２が生成した制御信号は、監視画面毎などの同時に表示、音声出力を行なう処理単位でまとめられ、表示・音声送信部６６３により、表示端末５０ａに送られる。
【００５７】
以上のように、この発明の実施の形態１に係る統合監視制御システムでは、監視制御装置から、複数の分類により多重に分類された属性を示す種別ＩＤが付された状態情報が送信され、統合監視制御装置では、種別ＩＤ毎または、複数の種別ＩＤの組み合わせ毎に、状態情報を提供する処理を定義するようにするため、統合監視制御装置の運用にあわせて、柔軟に状態情報の提供を行なうことができる。
【００５８】
また、この発明の実施の形態１に係る統合監視制御システムでは、状態情報に付される種別ＩＤは、それぞれが多重系を構成する運用局とバックアップ局などの、状態情報が関連する構成の、監視系全体における位置を分類する階層の階層ＩＤを含むため、構成の一部を変更する場合などについても、変更部分の構成を含む階層の階層ＩＤを種別ＩＤに含ませるのみでよい。つまり、複数の局の統合監視制御装置で監視制御するシステムにおいて、他の局が管理する状態情報も含めて、状態情報ごとの要求に応じた形式で容易に処理できる統合監視制御装置および統合監視制御システムを得ることができる。
【００５９】
さらに、この発明の実施の形態１に係る統合監視制御システムでは、統合監視制御装置どうしで取得した状態情報を同期させるため、いずれの統合監視制御装置においても、示される状態情報は一致し、統一された状態情報を提供することができる。
【００６０】
また、上記の説明では、処理対応定義部６５０を利用して、状態情報が含む種別ＩＤと当該の状態情報に実施する表示や音声出力の処理との対応を定義し、処理制御部６６０は、処理対応定義部６５０が定義し、示した表示や音声出力の処理を実施する例を示した。処理対応定義部６５０に定義され、処理制御部６６０が実施を制御する処理は、表示や音声出力に限らず、例えば、集計、分析等で状態情報を扱う処理にも適用可能である。
【００６１】
図１２は、この発明に係る監視制御装置及び、統合監視制御装置のハードウェア構成の一例を示す図である。この発明の監視制御装置及び、統合監視制御装置は、それぞれ、計算機上のプログラムにより実施することができる。図１２（ａ）は、監視制御装置の構成例であり、監視制御装置は、機器１０に接続し、機器１０の状態を検出する機器インタフェース４０１０、ネットワーク７０ａ、７０ｂと接続するネットワークインタフェース４０２０、プログラムを記憶する不揮発性記憶装置４０３０、不揮発性記憶装置４０３０に記憶されたプログラムを実行する処理装置４０４０、および処理装置４０４０によりプログラム実行時に使用される揮発性メモリ４０５０を備えている。不揮発性記憶装置４０３０には、プログラムの各ステップである状態情報生成処理４０３１、ＩＤ付与処理４０３２、状態情報送信処理４０３３が記憶されるが、これらは、揮発性メモリ４０５０の処理装置用メモリ４０５１に展開されて処理装置４０４０により実行され、それぞれ状態情報生成部２１０、ＩＤ付与部２２０、状態情報送信部２３０としての機能を実現する。
【００６２】
図１２（ｂ）は、統合監視制御装置の構成例であり、統合監視制御装置は、ネットワーク７０ａ、７０ｂに接続するネットワークインタフェース４１１０、他局に接続する他局インタフェース４１２０、表示端末と接続する表示端末インタフェース４１３０、プログラムを記憶する不揮発性記憶装置４１４０、不揮発性記憶装置４１４０に記憶されたプログラムを実行する処理装置４１５０、および処理装置４０４０によりプログラム実行時に使用される揮発性メモリ４１６０を備えている。他局とは、運用局から見ればバックアップ局であり、バックアップ局から見れば運用局である。不揮発性記憶装置４１４０には、プログラムの各ステップである状態情報取得処理４１４１、状態情報振分処理４１４２、状態情報送信処理４１４３、状態対応定義処理４１４４、処理制御処理４１４５が記憶されるが、これらは、揮発性メモリ４１６０の処理装置用メモリ４１６１に展開されて処理装置４１５０により実行され、状態情報取得部６１０、状態情報振分部６２０、状態情報送信部６４０、処理対応定義部６５０、処理制御部６６０としての機能を実現する。統合監視制御装置が受信する状態情報を種別ＩＤ毎に分類した種別ＩＤ毎状態情報は、揮発性記憶装置４１６０の種別ＩＤ毎状態情報４１６２に記憶される。また、後述の実施の形態２、３、４で統合監視制御装置に表示・音声出力通知部６６０、状態変化検出部６７０、出力タイミング調整部６８０、ＮＴＰ時刻同期処理部６９０についてもそれぞれ、不揮発性記憶装置４１４０にプログラムとして記憶され、処理装置４１５０に実行される。尚、図１２に示した構成は一例であり、任意に変更および修正が可能である。
【００６３】
実施の形態２．
実施の形態１では、運用局である統合監視制御装置６０ａ（６１ａ）から運用局１０００ａの状態情報をバックアップ局である統合監視制御装置６０ｂ（６１ｂ）に送信し、バックアップ局である統合監視制御装置６０ｂ（６１ｂ）からバックアップ局１０００ｂの状態情報を運用局である統合監視制御装置６０ａ（６１ａ）に送信することで、状態情報の共有をおこなった。しかし、状態情報が共有されても、表示・音声送信部６６０による表示端末５０ａ、５０ｂへの送信タイミング等により、運用局の表示端末５０ａと、バックアップ局の表示端末５０ｂとで、表示している状態情報に不一致が発生することがある。
【００６４】
実施の形態２では、状態情報を運用局とバックアップ局のそれぞれの統合監視制御装置で共有することに加え、表示端末５０ａ、５０ｂへの表示出力のタイミングを同期させることにより、運用局の表示端末５０ａと、バックアップ局の表示端末５０ｂとで、提供する状態情報を一致させる。実施の形態２では、運用局の統合監視制御装置６０ａ、６１ａの替わりに運用局の統合監視制御装置６０ｃ、６１ｃ、バックアップ局の統合監視制御装置６０ｂ、６１ｂの替わりにバックアップ局の統合監視制御装置６０ｄ、６１dを備える。
【００６５】
図１３は、この発明の実施の形態２における運用局の統合監視制御装置６０ｃ（６１ｃ）の構成を表す図である。図１３において、統合監視制御装置６０ｃ（６１ｃ）は、バックアップ局（他局）の統合監視制御装置６０ｄ（６１ｄ）との間で情報を送受信する統合監視制御装置間通信部６８０と、表示・音声制御部６６２が生成した制御信号を表示・音声送信部６６３に出力する際に、表示・音声を出力することを、統合監視制御装置間通信部６８０によりそれぞれバックアップ局（他局）の統合監視制御装置６０ｄ（６１ｄ）に通知する表示・音声出力通知部６６４ａとを備える。統合監視制御装置６０ｃ（６１ｃ）は、表示・音声出力通知部６６４ａと統合監視制御装置間通信部６８０を備える以外は、実施の形態１における統合監視制御装置６０ａ（６１ａ）と同等の構成である。表示・音声出力通知部６６４ａは、自局の処理の状態である処理状態通知を、統合監視制御装置間通信部６８０により他局の統合監視制御装置６０ｄ（６１ｄ）に送信する処理状態送信部である。
【００６６】
図１４は、この発明の実施の形態２におけるバックアップ局の統合監視制御装置６０ｄ（６１ｄ）の構成を表す図である。図１４において、統合監視制御装置６０ｄ（６１ｄ）は、運用局（他局）の統合監視制御装置６０ｃ（６１ｃ）との間で情報を送受信する統合監視制御装置間通信部６８０と、統合監視制御装置間通信部６８０により受信する統合監視制御装置６０ｃ（６１ｃ）の表示・音声出力通知部６６４ａからの通知に同期して、表示・音声制御部６６２が生成した制御信号を表示・音声送信部６６３に出力する表示・音声出力通知受信部６６４ｂとを備える。統合監視制御装置６０ｄ（６１ｄ）は、表示・音声出力通知受信部６６４ｂと統合監視制御装置間通信部６８０を備える以外は、実施の形態１における統合監視制御装置６０ｂ（６１ｂ）と同等の構成である。表示・音声出力通知受信部６６４ｂは、他局の統合監視制御装置６０ｃ（６１ｄ）からの処理状態通知を待ち受け、統合監視制御装置間通信部６８０により処理状態通知を受信することで処理を実施する処理状態待機処理部である。
【００６７】
また、図１３、図１４には記載していないが、運用局の統合監視制御装置６０ｃ（６１ｃ）は、表示・音声出力通知受信部６６４ｂも備え、バックアップ局（他局）の統合監視制御装置６０ｄ（６１ｄ）は、表示・音声出力通知部６６４ａも備えている。これは、災害等により運用局による制御が不可能になったとき等には、運用局とバックアップ局の役割が入れ替わるため、運用局もバックアップ局の機能を保有し、バックアップ局も運用局の機能を保有する必要があるためである。統合監視制御装置６０ｃ（６１ｃ）は、運用局である間は、表示・音声出力通知部６６４ａが動作し、表示・音声出力通知受信部６６４ｂは、待機又は、休止状態にある。統合監視制御装置６０ｃ（６１ｃ）がバックアップ局に移行すると、表示・音声出力通知部６６４ａは動作を停止し、待機または休眠状態となり、表示・音声出力通知受信部６６４ｂが動作する。
【００６８】
図１５は、バックアップ局の統合監視制御装置６０ｄ（６１ｄ）の表示・音声出力通知受信部６６４ｂの動作を示す。表示・音声出力通知受信部６６４ｂの動作については統合監視制御装置６０ｄのものについて説明するが、統合監視制御装置６１ｄの表示・音声出力通知受信部６６４ｂの動作も同様である。表示・音声出力通知受信部６６４ｂは、運用局の統合監視制御装置６０ｃ（６１ｃ）の状態を判定し（Ｓ２０１）、異常であれば（Ｓ２０１の分岐が「異常」）、表示・音声制御部６５３が生成した制御信号をそのまま表示・音声送信部６６０に出力する（Ｓ２０４）。運用局の統合監視制御装置６０ｃ（６１ｃ）が正常であれば（Ｓ２０１の分岐が「正常」）、表示・音声出力通知部６６４ｂは、統合監視制御装置６０ｃの表示・音声出力通知部６６４ａからの表示・音声を出力することの通知を待ち続ける（Ｓ２０２および、Ｓ２０３の分岐が「Ｎｏ」の場合）。統合監視制御装置間通信部６８０により統合監視制御装置６０ｃの表示・音声出力通知部６６４ａからの通知を受信すると（Ｓ２０３の分岐が「Ｙｅｓ」の場合）、統合監視制御装置６０ｄの表示・音声出力通知受信部６６４ｂは、表示・音声出力通知部を通じて画面表示・音声出力の指示を、表示端末５０ｂに対して行なう。
【００６９】
統合監視制御装置６０ｄ、６１ｄにおいて、表示・音声送信部６６０から表示端末５０ｂへの音声・表示出力を、統合監視制御装置６０ｃ、６１ｃの表示・音声出力通知部６５４ａが表示端末５０ａへの音声・表示出力と同期して送信される通知にあわせて行なう。そうすることで、表示端末５０ａ、５０ｂの表示が同期して更新される。そのため、運用局の表示端末５０ａおよびバックアップ局の表示端末５０ｂにおいて、表示のタイミングも含めて統一され、かつ運用に合わせてカスタマイズされた形式で、状態情報を提供することができる。
【００７０】
なお、上記の例では、運用局の統合監視制御装置６０ｃ（６１ｃ）の表示・音声出力通知部６６４ａは、処理制御部６６０が実施する表示・音声出力に合わせて処理の状態をバックアップ局６０ｄ（６１ｄ）に通知するが、バックアップ局の統合監視制御装置６０ｄ（６１ｄ）の処理制御部６６０が、同期して処理を行なう必要がある状態でに関して、表示・音声出力通知部６６４ａは、処理の他の状態をバックアップ局の統合監視制御装置６０ｄ（６１ｄ）に処理状態通知として通知するように構成しても良い。例えば、処理制御部６６０が定期的に起動されるのであれば、起動されるタイミングを通知しても良い。
【００７１】
実施の形態３．
実施の形態２では、運用局の表示端末５０ａとバックアップ局の表示端末５０ｂとの間で表示が更新されるタイミングを一致させるため、運用局の統合監視制御装置６０ｃ（６１ｃ）からバックアップ局の統合監視制御装置６０ｄ（６１ｄ）に向けて表示・音声を出力することの通知を行なったが、運用局、バックアップ局間の通信が非常に高速で行える場合については、運用局からバックアップ局、バックアップ局から運用局に送信する種別ＩＤ毎状態情報の送信により、運用局の表示端末５０ａとバックアップ局の表示端末５０ｂとの間で表示が更新されるタイミングを一致させることができる。
【００７２】
図１６は、この発明の実施の形態３における運用局の統合監視制御装置６０ｅ（６１ｅ）の構成を表す図である。統合監視制御装置６０ｅ（６１ｅ）では、種別ＩＤ毎状態情報記憶部６３０の自局記憶部６３１に記憶された状態情報（「ＳＩＴＥ１＿」で始まる種別ＩＤが付された状態情報）について、状態変化検出部６７０が、種別ＩＤ毎に状態情報の変化の有／無を検出する。統合監視制御装置６０ｅ（６１ｅ）は、状態変化検出部６７０の検出結果により、状態情報の変化があった場合のみ、状態情報送信部６４０により状態情報の変化があった種別ＩＤの状態情報をバックアップ局の統合監視制御装置６０ｆ（６１ｆ）に対して送信する。また、状態情報の送信と同期して、状態情報の変化が検出された種別ＩＤについては、処理制御部６６０に、状態情報の変化があったことが通知される。
【００７３】
処理対応定義部６５０ａは、種別ＩＤ毎状態情報記憶部６３０の自局記憶部６３１に記憶された状態情報（「ＳＩＴＥ１＿」で始まる種別ＩＤが付された状態情報）については、状態変化検出部６７０から状態情報の変化があったことが通知されると、通知された種別ＩＤに対応した、監視画面表示などの表示、音声出力等の処理内容の定義を提示する。また、処理対応定義部６５０ａは、種別ＩＤ毎状態情報記憶部６３０の他局記憶部６３２に記憶された状態情報（「ＳＩＴＥ２＿」で始まる種別ＩＤが付された状態情報）については、状態情報受信部６１２により受信された新たな状態情報が記憶されると、新たに受信され記憶された状態情報の種別ＩＤに対応した、監視画面表示などの表示、音声出力等の処理内容の定義を提示する。制御処理部６６０は、処理対応定義部６５０ａから対応する処理が提示された、自局記憶部６３１に記憶された状態情報で状態の変化が有ったものおよび、送られてきた他局の状態情報に対して、６５０ａに提示された処理を実施するよう制御する。
【００７４】
図１６では、上記動作を、運用局の統合監視制御装置６０ｅ（６１ｅ）について説明したが、バックアップ局の統合監視制御装置６０ｆ（６１ｆ）についても全く同様である。統合監視制御装置６０ｆ（６１ｆ）では、種別ＩＤ毎状態情報記憶部６３０の自局記憶部６３１に記憶された状態情報（「ＳＩＴＥ２＿」で始まる種別ＩＤが付された状態情報）について、状態変化検出部６７０が、種別ＩＤ毎に状態情報の変化の有／無を検出し、状態情報の変化があった場合のみ、状態情報送信部６４０により状態情報の変化があった種別ＩＤの状態情報を運用局である統合監視制御装置６０ｅ（６１ｅ）に対して送信する。また、状態情報の送信と同期して、状態情報の変化が検出された種別ＩＤについては、処理対応定義部６５０ａに、状態情報の変化があったことが通知される。
【００７５】
処理対応定義部６５０ｂは、種別ＩＤ毎状態情報記憶部６３０の自局記憶部６３１に記憶された状態情報（「ＳＩＴＥ２＿」で始まる種別ＩＤが付された状態情報）について、状態変化検出部６７０から、状態情報の変化があったことが通知されると、通知された種別ＩＤに対応した、監視画面表示などの表示、音声出力等の処理内容の定義を提示する。また、種別ＩＤ毎状態情報記憶部６３０の他局記憶部６３２に記憶された状態情報（「ＳＩＴＥ１＿」で始まる種別ＩＤが付された状態情報）については、状態情報受信部６１２により受信された新たな状態情報が記憶されると、新たに受信され記憶された状態情報の種別ＩＤに対応した、監視画面表示などの表示、音声出力等の処理内容の定義を提示する。制御処理部６６０は、処理対応定義部６５０ａから対応する処理が提示された、自局記憶部６３１に記憶された状態情報で状態の変化が有ったものおよび、送られてきた他局の状態情報に対して、６５０ａに提示された処理を実施するよう制御する。
【００７６】
運用局の状態情報については、統合監視制御装置６０ｅ（６１ｅ）の状態変化変検出部６７０が変化を検出することに伴い、統合監視制御装置６０ｅ（６１ｅ）と統合監視制御装置６０ｆ（６１ｆ）は、それぞれ変化が検出された種別ＩＤに関する表示を更新するため、運用局の表示端末５０ａ、バックアップ局の表示端末５０ｂを通じて、同じタイミングで更新される、統一された状態情報を提供することができる。
【００７７】
バックアップ局の状態情報についても、統合監視制御装置６０ｆ（６１ｆ）の状態変化変検出部６７０が変化を検出することに伴い、統合監視制御装置６０ｆ（６１ｆ）と統合監視制御装置６０ｅ（６１ｅ）は、それぞれ変化が検出された種別ＩＤに関する表示を更新するため、運用局の表示端末５０ａ、バックアップ局の表示端末５０ｂを通じて、同じタイミングで更新される。このため、全ての統合監視制御装置の表示端末５０ａ、５０ｂで、統一された状態情報を提供することができる。
【００７８】
実施の形態４．
図１７は、この発明の実施の形態４に係る統合監視制御システムの全体を示す図である。図１７において、統合監視制御装置６０ｇ、６０ｈ、６１ｇ、６１ｈは、それぞれ時刻情報を提供するＮＴＰサーバ８０に接続されている。
【００７９】
図１８は、この発明の実施の形態４に係る統合監視制御装置６０ｇ、６０ｈの構成を示す図である。それぞれの統合監視制御装置６０ｇ、６０ｈでは、ＮＴＰサーバ８０と時刻同期する。ＮＴＰ時刻同期処理部６９０から、毎正秒等の時刻で出力タイミング調整部６６５にすべての統合監視制御装置が同じタイミングが送信される。つまり、ＮＴＰサーバ８０が管理する時刻が基準時刻であり、各統合監視制御装置６０ｇ、６０ｈ、６１ｇ、６１ｈは、同期した基準時刻を出力する基準時刻時計を有することになる。
【００８０】
出力タイミング調整部６６５は、表示・音声制御部６６２から表示端末５０ａ、５０ｂに対する制御信号を受信すると、そのまま表示・音声送信部に出力せずに、内部のバッファに一旦記憶する。出力タイミング調整部６６５は、ＮＴＰ時刻同期処理部６９０から全ての統合監視制御装置６０ｇ、６０ｈ、６１ｇ、６１ｈが時刻同期した状態であり、表示・音声送信部６６３に、表示端末５０ａ、５０ｂに対する制御信号を送信する。この様にして、それぞれの統合監視制御装置６０ｇ、６０ｈから、表示端末５０ａ、５０ｂに、同じタイミングで表示の更新が行なわれる。この様にして、運用局の表示端末５０ａ、バックアップ局の表示端末５０ｂを通じて、同じタイミングで更新される、統一された状態情報を提供することができる。
【符号の説明】
【００８１】
１０ａ、１０ｂ  機器
２０ａ、２０ｂ、３０ａ、３０ｂ、４０ａ、４０ｂ  監視制御装置
５０ａ、５０ｂ  表示端末
６０ａ、６０ｂ、６０ｃ、６０ｄ、６０ｅ、６０ｆ、６０ｇ、６０ｈ  統合監視制御装置
６１ａ、６１ｂ、６１ｃ、６１ｄ、６１ｅ、６１ｆ、６１ｇ、６１ｈ  統合監視制御装置
７０ａ、７０ｂ  ネットワーク
８０  ＮＴＰサーバ
２１０  状態情報生成部
２２０  ＩＤ付与部
２３０  状態情報送信部
５１０  接続部
５２０  監視情報受信部
５３０  画面表示部
５４０  音声出力部
６１０  状態情報取得部
６１１  受信部
６１２  状態情報受信部
６１３、６１４  処理定義部
６１５  自装置状態情報取得部
６２０  状態情報振分部
６３０  種別ＩＤ毎状態情報記憶部
６４０  状態情報送信部
６５０、６５０ａ  処理対応定義部
６６０  処理制御部
６６１  状態判定部
６６２  表示・音声制御部
６６３  表示・音声送信部
６６４ａ  表示・音声出力通知部
６６４ｂ  表示・音声出力通知受信部
６６５  出力タイミング調整部
６７０  状態変化検出部
６８０  統合監視制御装置間通信部
６９０  ＮＴＰ時刻同期処理部  
１０００ａ  運用局
１０００ｂ  バックアップ局
２０００  種別ＩＤ
２０１０ａ、２０１０ｂ、２０１０ｃ  階層ＩＤ
３０００、３１００、３２００  監視画面
４０１０  機器インタフェース
４０２０、４１１０  ネットワークインタフェース
４０３０、４１４０  不揮発性記憶装置
４０４０、４１５０  処理装置
４０５０、４１６０  揮発性記憶装置
４１２０  他局インタフェース
４１３０  表示端末インタフェース
【図１】
0006451467.tif 000002
【図２】
0006451467.tif 000003
【図３】
0006451467.tif 000004
【図４】
0006451467.tif 000005
【図５】
0006451467.tif 000006
【図６】
0006451467.tif 000007
【図７】
0006451467.tif 000008
【図８】
0006451467.tif 000009
【図９】
0006451467.tif 000010
【図１０】
0006451467.tif 000011
【図１１】
0006451467.tif 000012
【図１２】
0006451467.tif 000013
【図１３】
0006451467.tif 000014
【図１４】
0006451467.tif 000015
【図１５】
0006451467.tif 000016
【図１６】
0006451467.tif 000017
【図１７】
0006451467.tif 000018
【図１８】
0006451467.tif 000019